(57)【要約】      （修正有）【課題】誤放電を防止できるようにするプラズマディスプレイパネルの駆動方法を提供する。【解決手段】プラズマディスプレイパネルの駆動方法において、パネルの駆動温度を感知する段階と、前記パネルが低温及び高温において駆動される時第1サブフィールドパターンマッピング方法を利用してデータをマッピングする段階と、前記パネルが低温及び高温間の温度において駆動される時前記第1サブフィールドパターンマッピングと相異な第２サブフィールドパターンマッピング方法を利用してデータをマッピングする段階とを含む。【選択図】  図４
2005122184.tif 000002
【特許請求の範囲】
【請求項１】
複数の放電セルを含むプラズマディスプレイパネルを駆動するプラズマディスプレイパネルの駆動方法において、
パネルの駆動温度を感知する段階と、
前記パネルが低温及び高温において駆動される時第1サブフィールドパターンマッピング方法を利用してデータをマッピングする段階と、
前記パネルが低温及び高温間の温度において駆動される時前記第1サブフィールドパターンマッピングと相異な第２サブフィールドパターンマッピング方法を利用してデータをマッピングする段階と
を含むことを特徴とするプラズマディスプレイパネルの駆動方法。
【請求項２】
前記第２サブフィールドパターンマッピング方法では、発光パターンが大きく変わる階調を表示する時前記発光パターンが大きく変わる階調が隣接した放電セルで平均的に表示されるようにマッピングすることを特徴とする、請求項1に記載のプラズマディスプレイパネルの駆動方法。
【請求項３】
前記第1サブフィールドパターンマッピング方法では、発光パターンが大きく変わる階調を含む全ての階調がその階調そのまま表示されるようにマッピングすることを特徴とする、請求項1に記載のプラズマディスプレイパネルの駆動方法。
【請求項４】
前記低温は、-50℃以上15℃以下の温度であって、前記高温は、50℃以上100℃以下の温度であることを特徴とする、請求項1乃至３の何れかに記載のプラズマディスプレイパネルの駆動方法。
【請求項５】
前記パネルの内部空間に含まれた放電ガスには、キセノン(Xe)ガスが5%以上含まれることを特徴とする、請求項1乃至４の何れかに記載のプラズマディスプレイパネルの駆動方法。
【請求項６】
複数の放電セルを含むプラズマディスプレイパネルを駆動するプラズマディスプレイパネルの駆動装置において、
パネルの駆動温度を感知するための温度センサーと、
前記温度センサーで感知した駆動温度に対応してサブフィールドパターンマッピング方法を設定するサブフィールドマッピング部と
を具備することを特徴とするプラズマディスプレイパネルの駆動装置。
【請求項７】
前記サブフィールドマッピング部は、前記温度センサーで感知した温度が高温及び低温のいずれか一つである場合に、発光パターンが大きく変わる階調を含むあらゆる階調がその階調そのまま表示されるようにデータをマッピングすることを特徴とする、請求項6に記載のプラズマディスプレイパネルの駆動装置。
【請求項８】
前記サブフィールドマッピング部は、前記温度センサーで感知した温度が高温及び低温間の温度である場合に発光パターンが大きく変わる階調を表示する時、前記発光パターンが大きく変わる階調が隣接した放電セルで平均的に表示されるデータをマッピングすることを特徴とする、請求項6に記載のプラズマディスプレイパネルの駆動装置。
【請求項９】
前記低温は、-50℃以上15℃以下の温度であって、前記高温は、50℃以上100℃以下の温度であることを特徴とする、請求項7または8に記載のプラズマディスプレイパネルの駆動装置。
【請求項１０】
前記パネルの内部空間に含まれた放電ガスには、キセノン(Xe)ガスが5%以上含まれることを特徴とする、請求項6乃至９の何れかに記載のプラズマディスプレイパネルの駆動装置。
【請求項１１】
複数の放電セルを含むプラズマディスプレイパネルを駆動するプラズマディスプレイパネルの駆動方法において、
パネルの駆動温度を感知する段階と、
前記感知された駆動温度に対応してサブフィールドパターンマッピング方法を設定する段階と、
前記設定されたサブフィールドマッピング方法を利用してデータをマッピングする段階と、
を含むことを特徴とするプラズマディスプレイパネルの駆動方法。
【発明の詳細な説明】
【技術分野】
【０００１】
本発明は、プラズマディスプレイパネルに関し、より詳細には、プラズマ ディスプレーパネルの駆動方法及び駆動装置に関する。
【背景技術】
【０００２】
プラズマディスプレイパネル（Plasma Display Panel：以下「ＰＤＰ」という）は、Ｈｅ+Ｘｅ,Ｎｅ+ＸｅまたはＨｅ+Ｎｅ+Ｘｅガスの放電時発生する１４７ｎｍの紫外線により蛍光体を発光させることによって文字またはグラフィックを含む画像を表示することになる。このようなＰＤＰは、薄膜化と大型化が容易であるのみでなく、近年技術開発により大きく向上した画質を提供する。特に、３電極交流面放電型ＰＤＰは、放電時表面に蓄積された壁電荷を利用して放電に必要な電圧を下げるようになって、放電により発生するスパッタリングから電極を保護するため、低電圧駆動と長寿命という長所を有する。
【０００３】
図１は、 従来の３電極交流面放電型プラズマディスプレイパネルの放電セル構造を示す斜視図である。図１を参照すると、３電極交流面放電型ＰＤＰの放電セルは上部基板１０上に形成されたスキャン電極３０Ｙ及びサステイン電極３０Ｚと、下部基板１８上に形成されたアドレス電極２０Ｘとを備える。
【０００４】
スキャン電極３０Ｙとサステイン電極３０Ｚの各々は透明電極１２Ｙ、１２Ｚと、透明電極１２Ｙ、１２Ｚの線幅より小さい線幅を有し透明電極の片側縁に形成される金属バス電極１３Ｙ、１３Ｚとを含む。透明電極１２Ｙ、１２Ｚは、通常酸化インジウムスズ(Indium-Tin-Oxide:ITO）で上部基板１０上に形成される。金属バス電極１３Ｙ、１３Ｚは、通常クロム(Ｃｒ)などの金属で透明電極１２Ｙ、２Ｚ上に形成されて抵抗の高い透明電極１２Ｙ、１２Ｚによる電圧降下を減らす役割をする。スキャン電極３０Ｙとサステイン電極３０Ｚが形成された上部基板１０には、上部誘電体層１４と 保護膜１６とが積層される。上部誘電体層１４にはプラズマ放電時発生した壁電荷が蓄積される。保護膜１６はプラズマ放電時発生したスパッタリングから上部誘電体層１４を保護し２次電子の放出効率を向上する。保護膜１６には通常酸化マグネシウム(ＭｇＯ）が利用される。
【０００５】
アドレス電極２０Ｘは、スキャン電極３０Ｙ及びサステイン電極３０Ｚと交差する方向に形成される。アドレス電極２０Ｘが形成された下部基板１８上には、下部誘電体層２２と隔壁２４が形成される。下部誘電体層２２と隔壁２４の表面には蛍光体層２６が形成される。隔壁２４はアドレス電極２０Ｘと並列して形成されて放電セルを物理的に区分し、放電により生成された紫外線と可視光が隣接した放電セルに漏洩することを防止する。蛍光体層２６は、プラズマ放電時発生した紫外線により励起・発光して赤色、緑色または青色のうちいずれか一つの可視光線を発生する。上/下部基板１０、１８と隔壁２４との間に設けられた放電セルの放電空間には放電のためのＨｅ+Ｘｅ、Ｎｅ+ＸｅまたはＨｅ+Ｘｅ+Ｎｅどの不活性混合ガスが注入される。
【０００６】
このような３電極交流面放電型ＰＤＰは、画像の階調(Gray Level)を具現するために一つのフレームを発光回数が異なる複数のサブフィールドに分けて駆動している。また、各サブフィールドは、放電を均一に起こすためのリセット期間、放電セルを選択するためのアドレス期間及び放電回数に応じて階調を具現するサステイン期間に分けられる。
【０００７】
例えば、２５６階調で画像を表示しようとする場合に、１/６０秒に該当するフレーム期間(１６.６７ｍｓ）は、図２のように８個のサブフィールド(ＳＦ１ないしＳＦ８）に分けられる。８個のサブフィールド(ＳＦ１ないしＳＦ８)各々は、リセット期間、アドレス期間及びサステイン期間にさらに分けられる。各サブフィールドのリセット期間及びアドレス期間は、各サブフィールドごとに同じであるのに対し、サステイン期間及びその放電回数は、各サブフィールドで２ｎ(但し、ｎ=０,１,２,３,４,５,６,７）の割合で増加する。このように各サブフィールドでサステイン期間が変わることになるので画像の階調が具現できるようになる。
【０００８】
実際、一つのフレームが8個のサブフィールドを含む場合、表1のようにサブフィールドが選択されながら階調が表現される.
表 1
2005122184.tif 000003
【０００９】
ここで、'ＳＦＸ’はＸ番目サブフィールドを意味し、'Ｙｚ’は該当サブフィールドに設定された輝度加重値を十進数zで表現したものである。そして、'○’は該当サブフィールドがオンされた状態を示し、'×’は該当サブフィールドがオフされた状態を示す。
【００１０】
表１に示されているように、サブフィールドは自分に割り当てられた輝度加重値に対応してサステイン放電を起こすことによって輝度加重値に対応する階調を表現することになる。しかし、このような従来PDPは、発光パターンが大きく変わる階調15-16、31-32、63-64、127-128で光の積分方向と人の目が認識する視覚特性の不一致によってコントアーノイズ(Contour noise)が発生する問題点がある。例えば、発光パターンが128-127に変わる場合、２フレーム間の明るさの差は、"1"の値を有する。しかし、表1に表示されているように、127の階調値が表示される場合、第1ないし第7サブフィールドSF1〜SF7が発光し、128の階調値が表示される場合、第8サブフィールドSF8が発光する。すなわち、発光パターンが128-127に変わる場合２フレーム間発光パターンの時間差が大きいため発光点の移動が大きく生じるようになり、これによってコントアーノイズが発生することになる。
【００１１】
一方、従来ではPDPで発生するコントアーノイズを除去するために発光パターンが大きく変わる階調16、32、64、128を平均的に表示する方法が提案された。言い換えれば、図3のように互いに隣接した2個の放電セルでA(例えば31)及びB(例えば33）の階調を表現して平均的にC(32の階調）の階調を表示することになる。このように隣接した放電セルで表示される階調を利用して発光パターンが大きく変わる階調を平均的に表示するようになるとコントアーノイズを低減できる長所がある。
【００１２】
しかし、上述したように、発光パターンが大きく変わる階調を平均的に表示することになると、低温(-50℃以上15℃以下)及び/または高温(50℃以上100℃以下)で点滅誤放電及び/またはミス放電などの問題点が発生する。
【００１３】
これを詳細に説明すると、図3に示されているようにコントアーノイズを最小化するために、隣接した放電セルでA及びBの階調を表示する。この場合、A及びBの階調は、大部分互いに相異なる時間に放電が発生する。言い換えれば、A(31）の階調を表示するためには、第1サブフィールドSF1ないし第5サブフィールドSF5で放電が発生し、B(32）の階調を表示するためには、第1サブフィールドSF1及び第6サブフィールドSF6で放電が発生する。ここで、A及びBの階調を表現する時、第1サブフィールドSF1のみで同時に放電が起き、その他のサブフィールドでは同時に放電が発生しない。このように隣接した放電セルが互いに異なる時間に放電すると、すなわち、プライミング荷電粒子が互いに異なる時間に生成されると、特定放電セルで生成されたプライミング荷電粒子が隣接した放電セルで放電が発生する時供給されないため、低温及び/または高温で点滅誤放電及び/または放電が起きないなどの問題点が発生する。
【００１４】
ここで、高温では粒子の動きが活発になることによって、初期化期間に生成された壁電荷の損失量が増加し、これによって発光パターンが大きく変わる階調を平均的に表示する時ミス放電などが発生する。そして、低温では粒子の動きが鈍化して消去放電などが正常に発生しないため、初期化期間に所望の壁電荷が生成されることが困難であり、これによって、発光パターンが大きく変わる階調を平均的に表示する時点滅誤放電などが発生する。
【００１５】
一方、従来ではPDP内に封入された放電ガスのうちXeの成分を5%以上に設定して低密度Xeパネルに比べて駆動電圧が高いが、輝度をさらに高めることができる方法が提案された。すなわち、高密度Xeパネルでは、放電ガスでXe成分を高めることによって、高輝度の画像を表示できるようになる。しかし、このような高密度Xeのパネルは、低密度Xeパネルに比べて駆動電圧が高く設定されるため、発光パターンが大きく変わる階調を平均的に表示する時低温及び高温で誤放電が発生する確率がより一層増加する。
【発明の開示】
【発明が解決しようとする課題】
【００１６】
したがって、本発明は、前記のような従来技術の問題点に鑑みてなされたものであって、目的とするところは、誤放電を防止できるようにするプラズマディスプレイパネルの駆動方法を提供することにある。
【課題を解決するための手段】
【００１７】
前記目的を達成するために、この発明の実施の形態に係るプラズマディスプレイパネルの駆動方法は、互いに対向する前面基板と背面基板とを備え、前記前面基板の対向面上に形成された一対の透明電極、前記透明電極各々に形成された金属電極、前記透明電極及び金属電極を覆う誘電層、前記誘電層上に塗布された保護膜、前記背面基板の対向面上に形成されたアドレス電極、前記アドレス電極を覆う誘電層、前記誘電層上に形成された隔壁、前記隔壁で区画された放電セル、前記放電セル内に塗布された蛍光体層を含むプラズマディスプレイパネルを駆動するプラズマディスプレイパネルの駆動方法において、パネルの駆動温度を感知する段階と、前記パネルが低温及び高温で駆動される時第1サブフィールドパターンマッピングマッピング方法を利用してデータをマッピングする段階と、前記パネルが低温及び高温間の温度で駆動される時、前記第1サブフィールドパターンマッピングと相異な第２サブフィールドパターンマッピング方法を利用してデータをマッピングする段階とを含むことを特徴とする。
【００１８】
この発明の実施の形態に係るプラズマディスプレイパネルの駆動装置は、互いに対向する前面基板と背面基板とを備え、前記前面基板の対向面上に形成された一対の透明電極、前記透明電極各々に形成された金属電極、前記透明電極及び金属電極を覆う誘電層、前記誘電層上に塗布された保護膜、前記背面基板の対向面上に形成されたアドレス電極、前記アドレス電極を覆う誘電層、前記誘電層上に形成された隔壁、前記隔壁で区画された放電セル、前記放電セル内に塗布された蛍光体層を含むプラズマディスプレイパネルを駆動するプラズマディスプレイパネルの駆動装置において、パネルの駆動温度を感知するための温度センサーと、前記温度センサーで感知した駆動温度に対応してサブフィールドパターンマッピング方法を設定するサブフィールドマッピング部とを備えることを特徴とする。
【発明の効果】
【００１９】
この発明に係るプラズマディスプレイパネルの駆動方法及び駆動装置によると、プラズマディスプレイパネルが一般駆動温度で駆動される時発光パターンが大きく変わる階調を平均的に表示することによってコントアーノイズが最小化された画像を表示できる。そして、プラズマディスプレイパネルが低温/高温で駆動される時あらゆる階調をその階調そのまま表示することによって、低温/高温で発生する点滅誤放電及びミス放電を防止できる。
【発明を実施するための最良の形態】
【００２０】
以下添付図を参照して本発明の実施形態を詳細に説明する。
【００２１】
この発明の実施の形態に係るプラズマディスプレイパネルの駆動方法は、互いに対向する前面基板と背面基板とを備え、前記前面基板の対向面上に形成された 一対の透明電極、前記透明電極各々に形成された金属電極、前記透明電極及び金属電極を覆う誘電層、前記誘電層上に塗布された保護膜、前記背面基板の対向面上に形成されたアドレス電極、前記アドレス電極を覆う誘電層、前記誘電層上に形成された隔壁、前記隔壁で区画された放電セル、前記放電セル内に塗布された蛍光体層を含むプラズマディスプレイパネルを駆動するプラズマディスプレイパネルの駆動方法において、パネルの駆動温度を感知する段階と、前記パネルが低温及び高温で駆動される時第1サブフィールドパターンマッピング方法を利用してデータをマッピングする段階と、前記パネルが低温及び高温間の温度で駆動される時、前記第1サブフィールドパターンマッピングと相異な第２サブフィールドパターンマッピング方法を利用してデータをマッピングする段階とを含むことを特徴とする。
【００２２】
前記第２サブフィールドパターンマッピング方法では、発光パターンが大きく変わる階調を表示する時、発光パターンが大きく変わる階調が隣接した放電セルで平均的に表示されるようにマッピングする。
【００２３】
前記第1サブフィールドパターンマッピング方法では、発光パターンが大きく変わる階調を含むあらゆる階調がその階調そのまま表示されるようにマッピングする。
【００２４】
前記低温は、-50℃以上15℃以下の温度であって、高温は、50℃以上100℃以下の温度である。
【００２５】
前記パネルの内部空間に含まれた放電ガスには、キセノン(Xe)ガスが5%以上含まれる。
【００２６】
この発明の実施の形態に係るプラズマディスプレイパネルの駆動装置は、互いに対向する前面基板と背面基板とを備え、前記前面基板の対向面上に形成された一対の透明電極、前記透明電極各々に形成された金属電極、前記透明電極及び金属電極を覆う誘電層、前記誘電層上に塗布された保護膜、前記背面基板の対向面上に形成されたアドレス電極、前記アドレス電極を覆う誘電層、前記誘電層上に形成された隔壁、前記隔壁で区画された放電セル、前記放電セル内に塗布された蛍光体層を含むプラズマディスプレイパネルを駆動するプラズマディスプレイパネルの駆動装置において、パネルの駆動温度を感知するための温度センサーと、前記温度センサーで感知した駆動温度に対応してサブフィールドパターンマッピング方法を設定するサブフィールドマッピング部とを備えることを特徴とする。
【００２７】
前記サブフィールドマッピング部は、温度センサーで感知した温度が高温及び低温のいずれか一つである場合に、発光パターンが大きく変わる階調を含むあらゆる階調がその階調そのまま表示されるようにデータをマッピングする。
【００２８】
前記サブフィールドマッピング部は、温度センサーで感知した温度が高温及び低温間の温度である場合に、発光パターンが大きく変わる階調を表示する時、発光パターンが大きく変わる階調が隣接した放電セルで平均的に表示されるデータをマッピングする。
【００２９】
前記低温は、-50℃以上15℃以下の温度であり、高温は50℃以上100℃以下の温度である。
【００３０】
以下では、添付する図面を参照してこの発明の実施の形態を具体的に説明する。
【００３１】
図4は、この発明の実施の形態に係るプラズマディスプレイパネルの駆動方法を示す図である。
【００３２】
図4を参照すると、この発明の実施の形態係るPDPの駆動方法は、低温/高温の駆動方法と低温及び高温間の温度(以下では「一般駆動温度」いう）でのサブフィールドパターンマッピング方法が相異なるように設定される。(ここで、PDPには温度センサーが付着されてPDPの駆動温度を監視する)
まず、一般駆動温度(15℃超過50℃未満)でPDPは従来と同じ駆動方法により駆動される。言い換えれば、一般駆動温度では従来のPDPと同様に発光パターンが大きく変わる階調16、32、64、128を平均的に表示することになる。言い換えれば、図3のように互いに隣接した2個の放電セルでA(例えば31)及びB(例えば33）の階調を表現して平均的にC(32の階調）の階調を表示するようになる。このように、一般駆動温度では発光パターンが大きく変わる階調を平均的に表示することによって、コントアーノイズが最小化された画像を表示できる。
【００３３】
そして、低温(-50℃以上15℃以下)/高温(50℃以上100℃以下)でPDPが駆動される時には、あらゆる階調を直接的に表示することになる。言い換えれば、PDPが低温/高温で駆動される時、発光パターンが大きく変わる階調を平均的に表示しない。このように、低温/高温で発光パターンが大きく変わる階調をその階調そのまま表示するようになると、点滅誤放電及び/またはミス放電などの問題点を解決できる。
【００３４】
これを詳細に説明すると、PDPが低温/高温で駆動される時、図5のように、発光パターンが大きく変わる階調であるC(例えば32)及びD(例えば64)を直接的に放電セルで表示する。ここで、互いに隣接した放電セルは互いに同じ階調を表示するため、同じ時間に放電が発生する。このように、互いに隣接した放電セルが同じ時間に放電すると、すなわちプライミング荷電粒子が同一時間に生成されると、特定放電セルは、隣接した放電セルから供給されるプライミング荷電粒子を供給されることができる。したがって、同じ階調を表現する放電セルでは放電が容易に発生でき、これによって、低温/高温で点滅誤放電及び/またはミス放電が発生することを防止できる。
【００３５】
なお、PDP内に封入された放電ガスのうちXeの成分が5%以上に設定された高密度Xe PDPにこの発明が適用されると、高密度Xe PDPが低温/高温で駆動される時発生する点滅誤放電及び/またはミス放電が発生することを防止できる。 すなわち、この発明が高密度Xe PDPに適用されると、点滅誤放電及び/またはミス放電なしに高い輝度を有する画像を表示できる長所がある。
【００３６】
図6は、この発明の実施の形態に係るプラズマディスプレイパネルの駆動装置を示す図である。
【００３７】
図6を参照すると、この発明の実施の形態に係るPDPの駆動装置は、第1逆ガンマ調整部31Aとデータ整列部35との間に接続されたゲイン調整部32、誤差拡散部33及びサブフィールドマッピング部34と、第2逆ガンマ調整部31Bと波形発生部37との間に接続されたAPL計算部36と、サブフィールドマッピング部34に接続されるように設置される温度センサー40とを備える。
【００３８】
第1及び第2逆ガンマ補正部31A、31Bは、入力ライン29からのデジタルビデオデータ(RGB)を逆ガンマ補正して画像信号の階調値に対する輝度を線形的に変換させる。
【００３９】
ゲイン調整部32は、赤色、緑色及び青色の各データ別に有効利得を調整して色温度を補償する。
【００４０】
誤差拡散部33は、ゲイン調整部32から入力されるデジタルビデオデータ(RGB）の量子化誤差を隣接したセルに拡散させることによって、輝度値を微細に調整することになる。
【００４１】
サブフィールドマッピング部34は、誤差拡散部33から入力されたデータを各ビット別にあらかじめ格納されたサブフィールドパターンにマッピングし、そのマッピングデータをデータ整列部35に供給する。このようなサブフィールド マッピング部34の詳細な動作過程は後述する。
【００４２】
データ整列部35は、サブフィールドマッピング部34から入力されるデジタルビデオデータをパネル38のデータ駆動回路に供給する。データ駆動回路は、パネル38のデータ電極に接続されてデータ整列部35から入力されるデータを1水平ライン分ずつラッチした後、ラッチされたデータを1水平期間単位でパネル38のデータ電極に供給することになる. 
APL計算部36は、第2逆ガンマ補正部31Bから入力されるデジタルビデオデータ(RGB)に対して一つの画面単位で平均輝度、すなわち、APL(Avarage Picture Level）を計算して計算されたAPLに対応するサステインパルス数情報を出力することになる。
【００４３】
波形発生部37は、APL計算部36からのサステインパルス情報に応答してタイミング制御信号を生成し、そのタイミング制御信号を図示しないスキャン駆動回路とサステイン駆動回路に供給する。スキャン駆動回路とサステイン駆動回路は、波形発生部37から入力されるタイミング制御信号に応答してサステイン期間の間パネル38のスキャン電極とサステイン電極にサステインパルスを供給する。
【００４４】
温度センサー40は、パネル38の駆動温度(周辺環境温度)を感知し、感知した温度に対応する制御信号をサブフィールドマッピング部34に供給する。
【００４５】
温度センサー40及びサブフィールドマッピング部34の動作過程を詳細に説明すると、まず温度センサー40は、パネル38の駆動温度を感知(低温/高温または一般駆動温度)し、これに対応する制御信号をサブフィールドマッピング部34に供給する。
【００４６】
サブフィールドマッピング部34は、温度センサー40から供給される制御信号が一般駆動温度を表す時、発光パターンが大きく変わる階調16、32、64、128が平均的に表示できるように、サブフィールドパターンをマッピングする。言い換えれば、サブフィールドマッピング部34は、パネル38が一般駆動温度で駆動される時、発光パターンが大きく変わる階調が平均的に表示されるようにすることによって、コントアーノイズが最小化された画像を表示できる。
【００４７】
そして、サブフィールドマッピング部34は、温度センサー40から供給される制御信号が低温/高温を表す時、あらゆる階調が直接的に表示できるように、サブフィールドパターンをマッピングする。言い換えると、サブフィールドマッピング部34は、パネル38が一般駆動温度で駆動される時、発光パターンが大きく変わる階調を平均的に表示せずその階調そのまま表示することになる。このように、低温/高温で発光パターンが大きく変わる階調をその階調そのまま表示するようになると、点滅誤放電及び/またはミス放電などの問題点を解決できる。
【００４８】
上述したように、この発明に係るプラズマディスプレイパネルの駆動方法及び駆動装置によると、プラズマディスプレイパネルが一般駆動温度で駆動される時発光パターンが大きく変わる階調を平均的に表示することによって、コントアーノイズが最小化された画像を表示できる。そして、プラズマディスプレイパネルが低温/高温で駆動される時あらゆる階調をその階調そのまま表示することによって、低温/高温で発生する点滅誤放電及びミス放電を防止できる。
【００４９】
以上、本発明の具体的実施の態様について詳細に説明したが、本発明は、これらの実施例にのみ制限されるべきものではなく、本発明の技術的範囲を逸脱することなしに種々の変形が可能であることは勿論である。
【図面の簡単な説明】
【００５０】
【図１】従来の3電極プラズマディスプレイパネルの放電セル構造を示す斜視図である。
【図２】一つのフレームに含まれる複数のサブフィールドを示す図である。
【図３】発光パターンが大きく変わる階調を隣接した放電セルで平均的に表示する方法を示す図である。
【図４】この発明の実施の形態に係るプラズマディスプレイパネルの駆動方法を示す図である。
【図５】図4に示されている駆動方法によって高温/低温で発光パターンが大きく変わる階調を表示する方法を示す図である。
【図６】この発明の実施の形態に係るプラズマディスプレイパネルの駆動装置を示す図である。
【図１】
2005122184.tif 000004
【図２】
2005122184.tif 000005
【図３】
2005122184.tif 000006
【図４】
2005122184.tif 000007
【図５】
2005122184.tif 000008
【図６】
2005122184.tif 000009